(57)【要約】  【課題】モータの往復回転でシャッタ羽根に開閉作動を行わせる駆動部材が、停止時にバウンドを防止されるようにしたカメラ用フォーカルプレンシャッタを提供すること。  【解決手段】回転子７と共に回転する第１駆動部材８は、第１カム部８ｂと第２カム部８ｃを有し、駆動ピン１６ｆをシャッタ羽根に連結させている第２駆動部材１６は、第１カム部１６ｃと第２カム部１６ｄを有している。リンク部材１７は、円形孔１７ａを、第１駆動部材８に固定した軸部材１８に嵌合させ、長孔１７ｂを、第２駆動部材１６に固定した軸部材１９に嵌合させている。回転子７がいずれの方向へ回転したときでも、第１駆動部材８は第２駆動部材１６を、最初、リンク部材１７を介して回転させ、次には、直接回転させるようになっており、第２駆動部材１６の当接部１６ｅが長孔１ｂの縁に当接したときの反発力が、第１駆動部材８の回転軸６に向けて作用するようになっている。【選択図】  図２
2006084826.tif 000002
【特許請求の範囲】
【請求項１】
各々が露光用の開口部を有していて両者の間に少なくとも一つの羽根室を構成している二つの地板と、前記羽根室内に配置されていて前記地板のいずれか一方に夫々の一端を回転可能に取り付けられた複数のアームとそれらのアームに枢支された少なくとも１枚の羽根とで構成されている少なくとも一つのシャッタ羽根と、前記地板の何れか一方に取り付けられていて前記シャッタ羽根を往復作動させる少なくとも一つの駆動装置と、を備えているカメラ用フォーカルプレンシャッタにおいて、前記駆動装置が、往復回転可能な回転子を有するモータと、前記回転子と共に往復回転する第１駆動部材と、前記シャッタ羽根を往復作動させるために前記羽根室内で前記アームの一つに連結させた駆動ピンを有していて前記地板の何れか一方に回転可能に取り付けられている第２駆動部材と、一端を前記第１駆動部材に連結し他端を前記第２駆動部材に連結されていて前記第１駆動部材の往復回転を前記第２駆動部材に伝達するリンク部材と、を備えていて、前記第２駆動部材がストッパに当接して停止するとき、その反発力が前記第２駆動部材から前記第１駆動部材に直接加わるようにすると共に、その反発力が、ほぼ前記第１駆動部材の回転軸の方向へ作用するようにしたことを特徴とするカメラ用フォーカルプレンシャッタ。
【請求項２】
前記第１駆動部材は、前記リンク部材との連結部近傍にカム部を有しており、前記第２駆動部材も、前記リンク部材との連結部近傍にカム部を有しており、前記リンク部材は、前記二つの駆動部材の一方とは軸と円孔との連結構成で連結されていると共に他方とは軸と長孔との連結構成で連結されていて、前記回転子が第１の方向へ回転したときには、前記第１駆動部材は、最初、前記リンク部材を介して前記第２駆動部材を回転させ、途中からは、前記第１駆動部材の前記カム部が前記第２駆動部材の前記カム部を押すことによって前記第２駆動部材を回転させ、前記第２駆動部材がストッパに当接したときにも、前記第２駆動部材の前記カム部が前記第１駆動部材の前記カム部に接触しているようにしたことを特徴とする請求項１に記載のカメラ用フォーカルプレンシャッタ。
【請求項３】
前記第１駆動部材は、前記リンク部材との連結部近傍に第２カム部を有しており、前記第２駆動部材は、前記リンク部材との連結部からは離れたところに第２カム部を有していて、前記第２駆動部材が前記回転子の第２の方向への回転でバウンドしたときには、前記第２駆動部材の第２カム部が前記第１駆動部材の第２カム部に当接するようにしたことを特徴とする請求項２に記載のカメラ用フォーカルプレンシャッタ。
【請求項４】
前記回転子と前記第１駆動部材とが、同一回転軸上で一体的に回転し得るように構成されていることを特徴とする請求項１乃至３のいずれかに記載のカメラ用フォーカルプレンシャッタ。
【請求項５】
前記回転子と前記第１駆動部材とが、別軸上で回転し得るように構成されていることを特徴とする請求項１乃至３のいずれかに記載のカメラ用フォーカルプレンシャッタ。
【発明の詳細な説明】
【技術分野】
【０００１】
本発明は、シャッタ羽根を一つ又は二つ備えたカメラ用のフォーカルプレンシャッタに関する。
【背景技術】
【０００２】
カメラ用フォーカルプレンシャッタの中には、地板に対して一端を枢着した複数のアームと、それらのアームに枢支された少なくとも１枚の羽根とで構成されたシャッタ羽根を、一つだけ備えたものがある。そして、そのようなフォーカルプレンシャッタは、デジタルカメラにだけ採用されている。また、上記の構成をしたシャッタ羽根を二つ備えたフォーカルプレンシャッタが、古くから知られているが、そのようなフォーカルプレンシャッタは、デジタルカメラにも銀塩フィルムカメラにも採用されている。そして、それらのフォーカルプレンシャッタは、各々のシャッタ羽根が、一つのアームを、駆動部材の駆動ピンに連結させていて、駆動部材が往復回転することによって、露光開口を開閉させるようにしている。
【０００３】
また、これまでのフォーカルプレンシャッタの場合には、上記の駆動部材は、一方への回転を、モータに連動しているセット部材によって行なわされ、他方への回転を、ばねの付勢力によって行なわされるように構成するのが一般的である。しかしながら、最近では、モータだけによって、駆動部材を往復回転させるように構成したものが注目されており、それらのうち、駆動部材をモータの回転子と一体化させたものの一例が特許文献１に開示されている。
【特許文献１】特開２００２−２８７２１０号公報
【発明の開示】
【発明が解決しようとする課題】
【０００４】
周知のように、この種のフォーカルプレンシャッタにおいて、駆動部材は、その回転の最後に、モータの回転子が停止することによって停止するのではなく、ストッパに当接して停止させられる。そのとき、駆動部材がバウンドして、逆方向へ一時的に回転させられてしまうと、シャッタ羽根も一時的に逆方向へ作動させられ、露光開口の一部を開閉して露光むらなどの不都合な事態を発生させる原因となってしまう。
【０００５】
このような観点から上記の特許文献１に記載されているフォーカルプレンシャッタの構成を見てみると、駆動部材がストッパに当接してバウンドするときの力は、それまでの回転方向とは逆方向へ回転子を回転させるように作用する。そのため、駆動部材を高速に回転させた場合（即ち、シャッタ羽根を高速で走行させた場合）には、このような駆動部材のバウンドを、回転子の永久磁石の磁力によって得られるディテントだけでは好適に抑えることができず、シャッタ羽根が逆方向へ一時的に作動させられてしまうことになる。
【０００６】
そのため、特許文献１に記載のフォーカルプレンシャッタの場合には、シャッタ地板に形成されていて、駆動部材のストッパの役目をしている長孔の縁に、ゴム製の緩衝部材を取り付け、駆動部材のバウンドを少しでも抑制できるようにしている。しかしながら、周知のように、駆動部材を高速で回転させた場合には、そのような緩衝部材だけではバウンドを抑制することが難しく、実際には、そのほかにも、シャッタ地板の異なる場所に、種々の形状をした緩衝部材を取り付けたり、ブレーキ部材を取り付けたりする必要がある。
【０００７】
本発明は、このような問題点を解決するためになされたものであり、その目的とするところは、モータによって往復作動させられるシャッタ羽根を少なくとも一つ備えているカメラ用フォーカルプレンシャッタにおいて、駆動装置を、モータと、二つの駆動部材と、それらの駆動部材を連結した一つのリンク部材とで構成し、上記のバウンドを好適に抑制できるようにしたカメラ用フォーカルプレンシャッタを提供することである。
【課題を解決するための手段】
【０００８】
上記の目的を達成するために、本発明は、各々が露光用の開口部を有していて両者の間に少なくとも一つの羽根室を構成している二つの地板と、前記羽根室内に配置されていて前記地板のいずれか一方に夫々の一端を回転可能に取り付けられた複数のアームとそれらのアームに枢支された少なくとも１枚の羽根とで構成されている少なくとも一つのシャッタ羽根と、前記地板の何れか一方に取り付けられていて前記シャッタ羽根を往復作動させる少なくとも一つの駆動装置と、を備えているカメラ用フォーカルプレンシャッタにおいて、前記駆動装置が、往復回転可能な回転子を有するモータと、前記回転子と共に往復回転する第１駆動部材と、前記シャッタ羽根を往復作動させるために前記羽根室内で前記アームの一つに連結させた駆動ピンを有していて前記地板の何れか一方に回転可能に取り付けられている第２駆動部材と、一端を前記第１駆動部材に連結し他端を前記第２駆動部材に連結されていて前記第１駆動部材の往復回転を前記第２駆動部材に伝達するリンク部材と、を備えていて、前記第２駆動部材がストッパに当接して停止するとき、その反発力が前記第２駆動部材から前記第１駆動部材に直接加わるようにすると共に、その反発力が、ほぼ前記第１駆動部材の回転軸の方向へ作用するようにする。
【０００９】
その場合、前記第１駆動部材は、前記リンク部材との連結部近傍にカム部を有しており、前記第２駆動部材も、前記リンク部材との連結部近傍にカム部を有しており、前記リンク部材は、前記二つの駆動部材の一方とは軸と円孔との連結構成で連結されていると共に他方とは軸と長孔との連結構成で連結されていて、前記回転子が第１の方向へ回転したときには、前記第１駆動部材は、最初、前記リンク部材を介して前記第２駆動部材を回転させ、途中からは、前記第１駆動部材の前記カム部が前記第２駆動部材の前記カム部を押すことによって前記第２駆動部材を回転させ、前記第２駆動部材がストッパに当接したときにも、前記第２駆動部材の前記カム部が前記第１駆動部材の前記カム部に接触しているようにすると、コンパクトで所望の機能を得易い構成になる。また、前記第１駆動部材は、前記リンク部材との連結部近傍に第２カム部を有しており、前記第２駆動部材は、前記リンク部材との連結部からは離れたところに第２カム部を有していて、前記第２駆動部材が前記回転子の第２の方向への回転でバウンドしたときには、前記第２駆動部材の第２カム部が前記第１駆動部材の第２カム部に当接するようにすると、さらに好適な構成になる。
【００１０】
更に、前記回転子と前記第１駆動部材とが、同一回転軸上で一体的に回転し得るように構成されていると、駆動装置のコンパクト化が可能になるし、前記回転子と前記第１駆動部材とが、別軸上で回転し得るように構成されていると、配置設計上の自由度が大きくなる。
【発明の効果】
【００１１】
本発明は、モータによって往復作動させられるシャッタ羽根を少なくとも一つ備えているカメラ用フォーカルプレンシャッタにおいて、シャッタ羽根の駆動装置を、モータと、二つの駆動部材と、それらの駆動部材を連結した一つのリンク部材とで構成し、シャッタ羽根の走行終了時点において、シャッタ羽根と連結している方の駆動部材がストッパに当接してバウンドしようとすると、他方の駆動部材に直ちに当接し、その力が他方の駆動部材の回転軸の方向へ作用するようにしたものであるから、モータの回転子には、その回転方向への力が作用せず、バウンドを好適に抑制することが可能になる。
【発明を実施するための最良の形態】
【００１２】
本発明の実施の形態を、図示した二つの実施例によって説明する。そのうち、図１〜図８を用いて説明する実施例１のフォーカルプレンシャッタは、シャッタ羽根を一つだけしか備えておらず、デジタルカメラにのみ採用することができるものである。そして、この種のフォーカルプレンシャッタの場合には、構成が同じであっても、カメラの設計仕様によって、二つの作動方式（ノーマリーオープン方式とノーマリークローズ方式）のいずれかで作動させられることになるが、それらの両方について説明することもないので、ノーマリークローズ方式で作動させられる場合を説明することにする。
【００１３】
また、主に、図９〜図１２を用いて説明する実施例２のフォーカルプレンシャッタは、シャッタ羽根を二つ備えていて、デジタルカメラにも銀塩フィルムカメラにも採用することができるものである。そして、デジタルカメラに採用した場合には、上記した二つの作動方式のいずれか一つで作動させられることになるが、ノーマリークローズ方式での作動は、銀塩フィルムカメラに採用された場合の作動と実質的に同じになる。そこで、実施例２の作動説明は、デジタルカメラに採用された場合であって、ノーマリークローズ方式で作動させられる場合について詳しく説明することにする。
【実施例１】
【００１４】
図１〜図８を用いて本実施例を説明する。尚、図１は、露光開口の閉鎖状態（初期状態）を示した平面図であり、図２は、図１に示されているシャッタ羽根駆動装置の拡大平面図であり、図３は、図２の左側から見て駆動装置の構成を理解し易くするようにして示した断面図である。また、図４（ａ）〜図４（ｇ）は、シャッタ羽根の開き作動行程における駆動装置の作動状態を説明するための平面図であり、図５は、シャッタ羽根が、図１の状態から開き作動を開始し、露光開口を開き終わる直前の状態を示した平面図であって、図６は、シャッタ羽根が、図５の状態から開き作動を続け、露光開口を全開にした直後に停止した状態を示す平面図である。更に、図７（ａ）〜図７（ｇ）は、シャッタ羽根の閉じ作動行程における駆動装置の作動状態を説明するための平面図であって、図８は、シャッタ羽根が、図６の状態から閉じ作動を開始し、露光開口を略２／３閉じた状態を示す平面図である。
【００１５】
先ず、本実施例の構成を説明する。シャッタ地板１は、合成樹脂製であって、図１においては、右上方の一部を破断して示しているが、略中央に、長方形を横長にした開口部１ａを形成し、その開口部１ａの左下方位置には円弧状の長孔１ｂを形成している。また、シャッタ地板１の背面側には、シャッタ地板１と略同じ外形形状をした補助地板２が、図示していない手段によって、所定の間隔を空けて取り付けられており、シャッタ地板１との間に羽根室を構成している。そして、この補助地板２にも、略中央に、上記の開口部１ａと同じ形状の開口部２ａを形成しているが、以下においては、シャッタ地板１の開口部１ａが、被写体光路用の露光開口を規制しているものとして説明する。更に、その補助地板２にも、シャッタ地板１の長孔１ｂと重なる位置に、同じ形状の長孔２ｂ（図３参照）が形成されている。
【００１６】
枠体３は、合成樹脂製であって、図２及び図３から明らかなように、シャッタ地板１側に円柱形をした二つの柱３ａ，３ｂを有していて、一方の柱３ａは、ねじ４によってシャッタ地板１の板面に直接螺止され、他方の柱３ｂは、ねじ５によってシャッタ地板１に形成された棚部１ｃに螺止されている。図２から分かるように、この枠体３の略中央には、円形の孔３ｃが形成されており、また、その孔３ｃを間にして凸状をした大きな二つの窓３ｄ，３ｅが形成されている。
【００１７】
図３に分かり易く示したように、金属製の軸６は、その一端を上記の孔３ｃに圧入していて、他端をシャッタ地板１の孔１ｄに挿入している。そして、この軸６には、成形加工によって一体化された永久磁石製の回転子７と合成樹脂製の第１駆動部材８とが、回転可能に嵌合されている。そのうち、回転子７は、図２から分かるように、径方向に２極に着磁されている。また、第１駆動部材８は、その回転軸から径方向へ大きく張り出した腕部８ａの先端が２段形状になっていて、シャッタ地板１側には第１カム部８ｂが形成され、枠体３側には第２カム部８ｃが形成されているが、その形状は、図４（ａ）によってより明確に理解することができる。
【００１８】
上記の回転子７と共にモータを構成している固定子は、四つのヨークと、各々のボビンに巻回された二つのコイルで構成されている。それらのうち、二つのボビン９，１０は、図３に示してある。そして、図２には、一方のボビン９が、それに巻回されているコイル１１と共に示されているが、他方のボビン１０は、それに巻回されているコイルと共に、図示が省略されている。また、二つのボビン９，１０には、各々二つずつ端子ピン９ａ，１０ａが設けられている。そして、図３から分かるように、それらのボビン９，１０は、その一部を枠体３の窓３ｄ，３ｅに挿入し、それらの端子ピン９ａ，１０ａを窓３ｄ，３ｅから右側に突き出している。
【００１９】
また、四つのヨーク１２，１３，１４，１５は、図２において左右に２枚ずつ重ねて配置されていて、各々の両端をボビン９，１０の中空部に挿入しているが、それらのうち、左側の二つのヨーク１２，１３は図３にも示されている。そして、それらのヨーク１２，１３，１４，１５のうち、枠体３側に配置されているヨーク１２，１４は、それらの一端を、ボビン９の中空部に対し、両側から図２に示したＡ位置まで挿入しており、それらの他端を、図２では示していないボビン１０の中空部に、両側からＤ位置まで挿入している。他方、シャッタ地板１側に配置されているヨーク１３，１５は、それらの一端を、ボビン９の中空部に、図２に示したＢ位置まで挿入しており、それらの他端を、図２では示していないボビン１０の中空部に、Ｃ位置まで挿入している。そのため、二つのボビン９，１０の中空部内では、ヨーク１２は、ヨーク１３のほかにヨーク１５とも重なっており、ヨーク１３は、ヨーク１２のほかにヨーク１４とも重なっている。更に、ヨーク１２，１３とヨーク１４，１５とは、長さ方向の中央部に円弧状の磁極部を有していて、それらを、回転子７の周面に対して両側から対向させている。
【００２０】
このような構成をしている固定子は、一時的に枠体３に取り付けられ、最終的にはシャッタ地板１と枠体３の間で固定されるようになっている。そこで、その取り付け構成を説明する。シャッタ地板１には、図２に示されているように四つの柱１ｅ，１ｆ，１ｇ，１ｈが立設されているが、図３には、それらのうちの柱１ｅだけが示されている。他方、枠体３にも、既に説明した二つの柱３ａ，３ｂのほかに四つの柱が立設されているが、それらの四つの柱は、図２には全く示されておらず、図３にはそれらのうちの二つの柱３ｆ，３ｇだけが示されている。更に、枠体３には、このほかにも、図示していない可撓性を有する複数のフック部がシャッタ地板１側に向けて設けられている。
【００２１】
そこで、固定子は、先ず、ボビン９，１０の一部を枠体３の窓３ｄ，３ｅに挿入しておき、上記の図示していない複数のフック部により、シャッタ地板１側に配置されているヨーク１３，１５を掛け止めされて、枠体３に一時的に取り付けられる。このとき、ヨーク１２は、枠体３の二つの柱３ｆ，３ｇの先端に略接触状態となっており、ヨーク１４も、枠体３の図示していない二つの柱の先端に略接触状態となっている。その後、上記のように、枠体３が、ねじ４，５によってシャッタ地板１に取り付けられると、固定子は、ヨーク１２，１３が柱１ｅ，１ｇと柱３ｆ，３ｇに挟持され、ヨーク１４，１５が柱１ｆ，１ｈと枠体３の図示していない二つの柱に挟持されることによって、しっかりと固定されることになる。
【００２２】
次に、第２駆動部材１６とリンク部材１７について説明する。第２駆動部材１６は、第１駆動部材８と同様に合成樹脂製であって、図３から分かるように、一方の軸部１６ａをシャッタ地板１の孔１ｉに回転可能に嵌合させて、その先端を補助地板２に形成された孔２ｃに挿入し、他方の軸部１６ｂを枠体３の孔３ｈに回転可能に嵌合させている。また、この第２駆動部材１６は、第１カム部１６ｃと、第２カム部１６ｄと、当接部１６ｅと、駆動ピン１６ｆと、支え部１６ｇとを有している。それらのうち、第１カム部１６ｃは、第１駆動部材８の第１カム部８ｂによって押される得るようになっており、第２カム部１６ｄは、第１駆動部材８の第２カム部８ｃによって押され得るようになっている。また、当接部１６ｅは、シャッタ地板１に形成されている長孔１ｂの長手方向の両端に当接し得るようになっており、駆動ピン１６ｆは、その長孔１ｂを貫通させ、その先端を、補助地板２に形成されている上記の長孔２ｂ（図３参照）に挿入している。更に、支え部１６ｇは、図３に示すように、シャッタ地板１側に棚状に形成されている部位である。
【００２３】
また、リンク部材１７は、平板状の部材であって、一端に円形の孔１７ａが形成されており、他端には長孔１７ｂが形成されている。そして、このリンク部材１７は、二つの軸部材１８，１９によって、第１駆動部材８と第２駆動部材１６とに連結されている。即ち、図３に示されているように、鍔付き形状をした軸部材１８は、リンク部材１７に形成された上記の円形の孔１７ａに回転可能に嵌合させ、その先端を、第１駆動部材８の第１カム部８ｂの近傍に形成された孔８ｄに圧入している。他方、もう一つの軸部材１９は、第２駆動部材１６の第１カム部１６ｃの近傍に形成された孔１６ｈに圧入され、その先端をシャッタ地板１側に突き出している。そして、その突き出た先端は、リンク部材１７の長孔１７ｂに挿入しているだけであるから、円滑な作動が行えるようにするために、リンク部材１７の一部を、上記の支え部１６ｇで支えるようにしている。
【００２４】
次に、羽根室内に配置されているシャッタ羽根の構成を説明する。本実施例のシャッタ羽根は、二つのアーム２０，２１と、２枚の羽根２２，２３とで構成されている。先ず、アーム２０は、長手方向の一端を、第２駆動部材１６の上記の軸部１６ａ（図３参照）に回転可能に取り付けられていて、明示していない周知の長孔に、上記の駆動ピン１６ｆを嵌合させている。また、シャッタ地板１には、羽根室側の面に軸部１ｊが設けられていて、その先端を、補助地板２に形成された孔２ｄ（図３参照）に挿入しており、その軸部１ｊに、アーム２１の一端が回転可能に取り付けられている。そして、２枚の羽根２２，２３は、周知のように、それらのアーム２０，２１の両方に対して、各々二つの連結軸を介して、順に枢支されている。
【００２５】
次に、主に、図１と図４〜図１０を用いて、本実施例の作動を説明する。周知のように、デジタルカメラ用のシャッタ羽根の作動は、二つのシーケンスのいずれかで行われる。その一つは、シャッタ羽根が、露光開口を閉鎖している状態を初期状態（撮影待機状態）としたものであって、撮影に際してレリーズボタンが押されると、直ちにシャッタ羽根がその初期状態からスタートするノーマリークローズタイプと称されているものである。もう一つは、シャッタ羽根が、露光開口を全開にしている状態を初期状態としたものであって、撮影に際してレリーズボタンが押されても、シャッタ羽根は直ちに作動せず、撮影の最終段階において、その初期状態からスタートするノーマリーオープンタイプと称されているものである。本実施例のシャッタは、いずれのシーケンスでも作動させることが可能であるが、上記したように、ノーマリークローズタイプのシーケンスで作動させる場合について詳しく説明する。
【００２６】
図１は、シャッタ羽根が開口部（露光開口）１ａを閉鎖している初期状態を示したものであり、図４（ａ）は、その状態における駆動装置の主要構成部を示したものである。このとき、第２駆動部材１６は、反時計方向への回転限度位置にあって、その当接部１６ｅが、シャッタ地板１の長孔１ｂの長手方向の上端に接触している。そして、コイル１１と図示していないもう一つのコイルには電流が供給されていないが、この状態は、好適に維持され得るようになっている。即ち、このときには、回転子７の二つの磁極部と、四つのヨーク１２，１３，１４，１５によって形成された実質二つの磁極部とが、図２に示すような対向位置関係になっているため、回転子７には時計方向への回転力が付与されていて、第２駆動部材１６には、第１駆動部材８，リンク部材１７を介して、反時計方向へ回転する力が作用しているからである。従って、このときには、図４（ａ）に示すように、軸部材１９は、長孔１７ｂの右端に接している。
【００２７】
尚、図４（ａ）においては、第２駆動部材１６の第２カム部１６ｄが第１駆動部材８の第２カム部８ｃに接触しているかのように見える。しかしながら、実際には、極めて僅かな隙間があり、両者は完全には接触していない。その理由は、上記のように当接部１６ｅが長孔１ｂの上端に接触しているときに、両方の第２カム部８ｃ，１６ｄが丁度接触しているように製作することが至難の業であるからである。そして、初期状態において、このような隙間があると、カメラに不測の強い衝撃や振動が加わったとき、第２駆動部材１６が時計方向へ回転し、その第２カム部１６ｄを第１駆動部材８の第２カム部８ｃに当接させることがあるが、本実施例の場合には、その当接時における力が、第１駆動部材８の回転軸（軸６）に向かって作用するように構成されているため、第１駆動部材８や回転子７を、回転子７に付与されている上記の力に抗して回転させてしまうようには作用しない。そのため、どんなに強い衝撃力や振動が加わっても、第２駆動部材１６は、その僅かな隙間分以上に回転することはなく、衝撃や振動が静まると、上記のような回転子７に付与されている力によって、初期状態に復帰できるようになっている。
【００２８】
このような初期状態において、撮影者が、光学ファインダによって被写体像を確認し、レリーズボタンを押すと、コイル１１を含む二つのコイルに対して正方向に電流が供給される。それにより、ヨーク１２，１３の磁極部にはＮ極が現れ、ヨーク１４，１５の磁極部にはＳ極が現れるため、回転子７は反時計方向へ回転を開始する。そのため、第１駆動部材８は、図４（ａ）の状態から反時計方向へ回転し、リンク部材１７を作動させるが、その当初は、リンク部材１７の長孔１７ｂの長手方向と軸部材１８の作動軌跡とが略同一線上にあるため、リンク部材１７は軸部材１８，１９に対して殆ど回転しない。そのため、回転子７に掛かる負荷は極めて小さく、回転子７と第１駆動部材８とは好適に起動し、リンク部材１７の長孔１７ｂと第２駆動部材１６に取り付けられた軸部材１９との嵌合位置関係を変えていくことになり、第２駆動部材１６は回転させられない。そして、やがて長孔１７ｂの左端が軸部材１９に接触するようになるが、そのときの状態が図４（ｂ）に示されている。
【００２９】
図４（ｂ）の状態になると、それからは、長孔１７ｂの左端が軸部材１９を押し始めるが、このときには、既に、第１駆動部材８の第２カム部８ｃが第２駆動部材１６の第２カム部１６ｄの作動軌跡外へ移動しているため、第２駆動部材１６は、時計方向へ回転させられ、駆動ピン１６ｆによってアーム２０を時計方向へ回転させることにより、シャッタ羽根に開き作動を開始させる。図４（ｃ）と図４（ｄ）は、そのようにして、第２駆動部材１６が、リンク部材１７によって回転されていく過程を示したものであるが、その後、図５に示したように、開口部１ａが全開となる直前の状態になると、図４（ｅ）に示されているように、第１駆動部材８の第１カム部８ｂが第２駆動部材１６の第１カム部１６ｃに接触するようになる。
【００３０】
そして、図４（ｅ）に示され状態になると、その後は、第１駆動部材８が、リンク部材１７を介さずに、その第１カム部８ｂによって第２駆動部材１６の第１カム部１６ｃを直接押し、第２駆動部材１６を回転させ始めるため、図４（ｆ）に示されているように、軸部材１９が長孔１７ｂの左端から離れていく。このようにした理由は、図４（ｅ）の状態になった後も、それまでと同様にリンク部材１７を介して回転させ続けると、第１駆動部材８の回転量に対する第２駆動部材１６の回転量が小さくなり、ひいてはシャッタ羽根の走行速度が極端に遅くなってしまうほか、第１駆動部材８が図４（ｇ）の状態まで回転しても、第２駆動部材１６は、軸部材１９が長孔１４ｂの上端に接した位置までしか回転することができず、第２駆動部材１６を、図４（ｇ）に示した所望の回転角度位置まで回転させることができなくなるからである。従って、駆動装置を、本実施例のようにコンパクトな構成にする必要がないのであれば、第１駆動部材８と第２駆動部材１６に第１カム部８ｂ，１６ｃを形成したり、リンク部材１７に長孔１７ｂを形成したりする必要はなく、リン部材１７と第２駆動部材１６との連結構成は、リンク部材１７と第１駆動部材８との連結構成と同じであってもよいことになる。尚、本実施例の場合には、長孔と軸との連結構成を、リンク部材１７と第２駆動部材１６との連結に採用しているが、リンク部材１７と第１駆動部材８との連結に採用しても構わない。
【００３１】
このようにして、シャッタ羽根が開口部１ａを全開にし、図６に示された状態になると、第２駆動部材１６の当接部１６ｅが、シャッタ地板１に形成されている長孔１ｂの下端に当接する。そして、この当接によって、第２駆動部材１６には、反時計方向へ回転する力が生じる。ところが、本実施例の場合には、図４（ｇ）からも分かるように、軸６の位置と、軸部材１８の位置と、二つの第１カム部８ｂ，１６ｃの接触位置との３点が、略同一直線上に配置されていて、その反時計方向へ回転するときの力が、二つの第１カム部８ｂ，１６ｃの接触位置から略第１駆動部材８の回転軸（軸６）に向かって作用するように構成されているため、第１駆動部材８や回転子７を、回転子７に付与されている力に抗して時計方向へ回転させてしまうようには作用しない。従って、第２駆動部材１６は、バウンドすることなく、直ちに静止する。そして、このとき、図４（ｇ）では、リンク部材１７の長孔１７ｂの右端が軸部材１９に接触しているかのように見えるが、実際には、両者の間には僅かな隙間が空いている。その理由は、第２駆動部材１６の当接部１６ｆが、シャッタ地板１に形成された長孔１ｂの下端に確実に当接できるようにするためである。
【００３２】
尚、コイル１１を含む二つのコイルに対しては、第２駆動部材が、図４（ｇ）に示す位置で停止したあとも、上記のような正方向の電流を供給し続けるようにしてもよいが、本実施例の場合には、電流の供給を断ったとしても、回転子７は停止状態を確実に維持されるようになっている。その理由は、このとき、回転子７が、図２の状態から反時計方向へ約４０度回転した状態にあるため、回転子７の二つの磁極部と、四つのヨーク１２，１３，１４，１５によって形成された二つの磁極部との対向位置関係によって、回転子７には反時計方向へ回転する力が付与されていているからである。
【００３３】
このようにして、シャッタ羽根が、図６に示された状態で停止すると、それまでに固体撮像素子に蓄積されていた電荷が放出され、撮影のための電荷の蓄積が開始される。そして、所定の時間が経過すると、露光時間制御回路からの信号によって、コイル１１を含む二つのコイルに対して、先ほどとは逆方向への電流が供給される。図７（ａ）は、図４（ｇ）と同じ状態を示したものである。従って、二つのコイルに対して上記のような逆方向への電流が供給されると、回転子７は、図７（ａ）に示された状態から時計方向へ回転を開始する。そのため、第１駆動部材８も、リンク部材１７を伴って、図７（ａ）の状態から時計方向へ回転を開始するが、その当初は、長孔１７ｂの右端と軸部材１９との間には上記した僅かな隙間があるため、第２駆動部材１６は回転させられず、第１駆動部材８の第１カム部８ｂが、第２駆動部材１６の第１カム部１６ｃから離れていく。そして、その直後に、長孔１７ｂの右端と軸部材１９の接した状態が、図７（ｂ）に示されている。
【００３４】
図７（ｂ）の状態になると、それからは、長孔１７ｂの右端が軸部材１９を押すので、第２駆動部材１６は、反時計方向へ回転させられ、駆動ピン１６ｆによってアーム２０を反時計方向へ回転させて、シャッタ羽根に閉じ作動を開始させる。図７（ｃ）と図７（ｄ）は、そのようにして、第２駆動部材１６が、リンク部材１７によって回転されていく過程を示したものであるが、その後、シャッタ羽根が図８に示した状態になると、図７（ｅ）に示されているように、第１駆動部材８の第２カム部８ｃが第２駆動部材１６の第２カム部１６ｄに接触するようになる。従って、その後は、リンク部材１７を介さずに、第１駆動部材８は、その第２カム部８ｃによって第２駆動部材１６の第２カム部１６ｄを押し、第２駆動部材１６を直接回転させ始めるので、軸部材１９は長孔１７ｂの右端から離れていく。
【００３５】
そして、シャッタ羽根が、開口部１ａを閉鎖して、図７（ｆ）に示した状態になると、その直後には、第２駆動部材１６の第２カム部１６ｄに対する第１駆動部材８の第２カム部８ｃによる押圧が解かれ、さらに、その直後には、慣性で回転した第２駆動部材１６の当接部１６ｅが、シャッタ地板１に形成された長孔１ｂの上端に当接する。この当接によって、第２駆動部材１６は、時計方向へバウンドするが、図７（ｇ）からも分かるように、直ちに、第２カム部１６ｄの先端が第１駆動部材８の第２カム部８ｃの先端に当接する。しかも、このとき、軸６の位置と、軸部材１８の位置と、二つの第２カム部８ｃ，１６ｄの接触位置との３点が、略同一直線上に配置されていて、その当接時に生じる反発力は、第１駆動部材８の回転軸（軸６）に向かって作用するため、第１駆動部材８や回転子７を、回転子７に付与されている力に抗して反時計方向へ回転させてしまうようには作用しない。
【００３６】
また、本実施例の場合には、その当接と殆ど同時に、リンク部材１７の長孔１７ｂの右端が軸部材１９を押し、第２駆動部材１６を反時計方向へ回転させるようになっているので、第２駆動部材１６は、最終的には、当接部１６ｅを長孔１ｂの上端に接触させた状態で停止する。従って、その停止状態においては、上記したように、第１駆動部材８の第２カム部８ｃと第２駆動部材１６の第２カム部１６ｄとの間に、極めて僅かではあるが、隙間があることになる。このようにして、シャッタ羽根が、開口部１ａを完全に閉鎖すると、撮像情報が固体撮像素子から記憶装置に転送される。そして、コイル１１を含む二つのコイルに対する通電を断つと、次の撮影の待機状態である図１に示された状態に復帰したことになる。
【００３７】
尚、上記の作動説明では、本実施例のフォーカルプレンシャッタを、ノーマリークローズタイプのシーケンスで作動させる場合を説明したが、ノーマリーオープンタイプのシーケンスで作動させることも可能である。そして、その場合には、図６に示されたシャッタ羽根の全開状態が初期状態となる。そのため、その初期状態では、液晶モニターによって、被写体像を観察できるようにすることも可能である。撮影は、レリーズボタンが押されると、そのままの状態で、固体撮像素子に蓄積されていた電荷を放出し、新たに電荷の蓄積を開始させることによって行われる。その後、所定の時間が経過すると、シャッタ羽根に閉じ作動を行わせ、図１に示された閉鎖状態で、撮像情報を固体撮像素子から記憶装置に転送させる。そして、最後に、シャッタ羽根に開き作動を行わせ、図６の初期状態に復帰させるようにする。
【実施例２】
【００３８】
次に、図９〜図１２を用いて実施例２を説明する。尚、図９は、第１シャッタ羽根が露光開口を閉鎖している状態（初期状態）を示した平面図であり、図１０は、第１シャッタ羽根が、図９の状態から開き作動を開始し、露光開口を略１／３開いた状態を示した平面図である。また、図１１は、第２シャッタ羽根が、図１０の状態から閉じ作動を開始し、露光開口内を第１シャッタ羽根と共に走行している状態を示した平面図であり、図１２は、第２シャッタ羽根が露光開口を閉鎖し、第１シャッタ羽根に続いて停止した状態を示す平面図である。
【００３９】
本実施例は、二つのシャッタ羽根を備えたフォーカルプレンシャッタであるが、それらのシャッタ羽根と、それらを開閉作動させる各々の駆動装置は、実施例１で説明したものと全く同じ構成をしている。そのため、上記の各図においては、一方のシャッタ羽根（以下、第１シャッタ羽根という）とその駆動装置を構成している部材，部位に、実施例１の場合と全く同じ符号を用いており、他方のシャッタ羽根（以下、第２シャッタ羽根という）とその駆動装置を構成している部材，部位には、実施例１で用いた符号にダッシュ（´）を付けた符号を用いている。従って、それらの構成の詳細については説明を省略すると共に、実施例１において、図４及び図７を用いて説明した作動過程の詳細についても、その説明を省略する。そこで、以下においては、シャッタ羽根を二つ備えるようにしたことによって、実施例１とは異な構成になっている点についてだけ説明することにする。
【００４０】
本実施例は、開口部１ａを間にして左右に二つの駆動装置を備えているため、シャッタ地板１と補助地板２は、実施例１の場合よりは横長の形状をしているが、実質的には同じような外形をしている。そして、図９においては、シャッタ地板１の一部を破断して示してある。また、本実施例の場合には、シャッタ地板１，補助地板２の平面形状と略同じ形状をした中間板２４が、シャッタ地板１と補助地板２との間に、それらと所定の間隔を空けて配置され、図示していない手段によって、シャッタ地板１に取り付けられている。そして、図９においては、この中間板２４も、その一部を破断して示しているが、略中央には、開口部１ａ，２ａと同じ形状をした開口部２４ａが形成されている。尚、実施例１で説明したように、シャッタ地板１に設けられている軸部１ｊと、第２駆動部材１６の軸部１６ａや駆動ピン１６ｆは、図３から分かるように、補助地板２の孔２ｄ，２ｃや長孔２ｂに挿入されている。そのため、この中間板２４の場合には、そのような構成に差し障りがないようにするために、図示していない孔や長孔が形成されている。
【００４１】
図９において、開口部１ａの左側に取り付けられている駆動装置と、シャッタ地板１と中間板２４の間の羽根室に配置されていてその駆動装置によって往復作動させられる第１シャッタ羽根は、実施例１の構成と全く同じである。また、シャッタ地板１の右側に取り付けられている駆動装置と、中間板２４と補助地板２の間の羽根室に配置されていてその駆動装置によって往復作動させられる第２シャッタ羽根は、実施例１で説明した構成を逆さまに配置してシャッタ地板１に取り付けられている。但し、第１シャッタ羽根の場合は、２枚の羽根２２，２３よりも二つのアーム２０，２１が、シャッタ地板１側となるように配置されているが、第２シャッタ羽根の場合には、２枚の羽根２２´，２３´よりも二つのアーム２０´，２１´が補助地板２側に配置されている。
【００４２】
このように、本実施例は、二つのシャッタ羽根を備えていて、デジタルカメラにも銀塩フィルムカメラにも採用することの可能なフォーカルプレンシャッタである。また、デジタルカメラに採用した場合には、ノーマリーオープン方式で作動させることも、ノーマリークローズ方式で作動させることも可能であるが、この種のフォーカルプレンシャッタの場合には、ノーマリークローズ方式で作動させるのが一般的である。そして、ノーマリークローズ方式での作動は、銀塩フィルムカメラに採用された場合の作動と同じになる。そこで、以下の作動説明は、本実施例のフォーカルプレンシャッタがデジタルカメラに採用された場合であって、ノーマリークローズ方式で作動させられる場合についてだけ説明する。
【００４３】
図９は、本実施例の初期状態（撮影待機状態）を示したものであって、第１シャッタ羽根は、２枚の羽根２２，２３を展開状態にして開口部１ａを覆っており、第２シャッタ羽根は、２枚の羽根２２´，２３´を重畳状態にして開口部１ａの上方位置に格納されている。そして、このとき、コイル１１と図示していないもう一つのコイルには電流が供給されていないが、上記した理由によって、回転子７は、時計方向へ回転する力が付与されていて、第２駆動部材１６の当接部１６ｅが長孔１ｂの上端に接触させられて、この状態が維持されている。また、他方の駆動装置の方も、コイル１１´と図示していないもう一つのコイルには電流が供給されていないが、回転子７´には反時計方向へ回転する力が付与されていて、第２駆動部材１６´の当接部１６ｅ´が長孔１ｂ´の上端に接触させられて、この状態が維持されている。
【００４４】
このような初期状態において、撮影者が、光学ファインダによって被写体像を確認し、レリーズボタンを押すと、それまでに固体撮像素子に蓄積されていた電荷が放出されると共に、コイル１１を含む二つのコイルに対して正方向に電流が供給される。それによって、回転子７は第１駆動部材８と共に反時計方向へ回転を開始し、その直後からは、リンク部材１７を介して、第２駆動部材１６を時計方向へ回転させる。それによって、第２駆動部材１６の駆動ピン１６ｆがアーム２０を時計方向へ回転させるので、第１シャッタ羽根は、開口部１ａの開き作動を開始する。図１０は、そのようにして、第１シャッタ羽根が、開口部１ａを略１／３開いた状態を示したものである。そして、この状態になると、他方の駆動装置のコイル１１´を含む二つのコイルに対して逆方向の電流が供給される。尚、一方の駆動装置のコイル１１等に電流を供給してから他方の駆動装置のコイル１１´等に電流を供給するまでの時間は、被写体輝度の測光結果によって決まる。
【００４５】
そして、コイル１１´を含む二つのコイルに対して逆方向の電流が供給されると、回転子７´は第１駆動部材８´と共に時計方向へ回転を開始し、その直後からは、リンク部材１７´を介して、第２駆動部材１６´を反時計方向へ回転させる。それによって、第２駆動部材１６´の駆動ピン１６ｆ´がアーム２０´を反時計方向へ回転させるので、第２シャッタ羽根は、開口部１ａの閉じ作動を開始する。図１１は、第２シャッタ羽根が、そのようにして閉じ作動を開始し、第１シャッタ羽根との間にスリットを形成して露光走行をしている途中の状態を示したものである。そして、この図１１の状態からは、一方の駆動装置は、第１駆動部材８の第１カム部８ｂが第２駆動部材の第１カム部１６ｃを直接押し、他方の駆動装置は、第１駆動部材８の第２カム部８ｃが第２駆動部材の第２カム部１６ｄを直接押すようになる。
【００４６】
その後、第１シャッタ羽根の羽根２３が開口部１ａの下方へ退くと、第２駆動部材１６の当接部１６ｅが、シャッタ地板１の長孔１ｂの下端に当接する。この当接によって、第２駆動部材１６には、反時計方向へ回転する力が生じるが、実施例１の場合において、図４（ｇ）を用いて説明したように、第２駆動部材１６は、バウンドすることなく、直ちに静止する。続いて、第２シャッタ羽根の羽根２２´，２３´が、開口部１ａを閉じ終わると、第２駆動部材１６´の当接部１６ｅ´が、シャッタ地板１の長孔１ｂ´の下端に当接する。この当接によって、第２駆動部材１６´は、僅かに時計方向へバウンドさせられるが、実施例１の場合において、図７（ｇ）を用いて説明したように、第２駆動部材１６´は、バウンドを好適に抑止されて停止する。
【００４７】
第２シャッタ羽根が、このようにして、図１２に示された状態で停止すると、固体撮像素子で得られた撮像情報が記憶装置に転送され、二つの駆動装置に供給されていた電流が断たれることによって、一回の撮影の作動シーケンスが終了したことになる。そのため、図１２は、次の撮影の初期状態を示したものとなり、次の撮影時には、最初に第２シャッタ羽根に開き作動を開始させ、続いて第１シャッタ羽根に閉じ作動を開始させることになる。
【００４８】
尚、上記の各実施例においては、第１駆動部材８（８´）と一体の回転子７（７´）が、枠体３（３´）に設けられた軸６（６´）に対して回転可能に取り付けられているが、本発明は、そのような態様に限定されず、第１駆動部材８（８´）と一体化されている回転子７（７´）側に軸を設け、その軸を、例えば、シャッタ地板１と枠体３によって軸受けされるように構成しても差し支えない。従って、そのように、回転子７（７´）側に軸を設けた場合には、上記の各実施例のように、第１駆動部材８（８´）と回転子７（７´）とを直接一体化するようにしてもよいが、その軸を介して一体化されているようにしてもよい。
【００４９】
更に、本発明は、回転子７（７´）と第１駆動部材８（８´）とが一体化されている構成に限定されるものではない。即ち、回転子７（７´）と第１駆動部材８（８´）とが、平行に配置された個別の回転軸を有していて、第１駆動部材８（８´）は、回転子７（７´）の回転に連動して回転するように構成しても差し支えない。そのような構成にした場合には、上記の各実施例のように、駆動装置をコンパクトに構成することができないが、両者を離して配置することが可能になるので、カメラ側の種々の設計仕様に対応させることが可能になる。しかしながら、そのように構成した場合であっても、第２駆動部材１６（１６´）に生じる反発力は、上記のような構成によって、第１駆動部材８（８´）の回転軸に向けて作用するようにしなければいけないことは言うまでもない。
【図面の簡単な説明】
【００５０】
【図１】露光開口の閉鎖状態を示した実施例１の平面図である。
【図２】図１に示されているシャッタ羽根駆動装置の拡大平面図である。
【図３】図２の左側から見て示した断面図であって、シャッタ羽根駆動装置の構成を理解し易いようにして示したものである。
【図４（ａ）】シャッタ羽根の開き作動行程におけるシャッタ羽根駆動装置の作動状態を説明するための平面図である。
【図４（ｂ）】シャッタ羽根の開き作動行程におけるシャッタ羽根駆動装置の作動状態を説明するための平面図である。
【図４（ｃ）】シャッタ羽根の開き作動行程におけるシャッタ羽根駆動装置の作動状態を説明するための平面図である。
【図４（ｄ）】シャッタ羽根の開き作動行程におけるシャッタ羽根駆動装置の作動状態を説明するための平面図である。
【図４（ｅ）】シャッタ羽根の開き作動行程におけるシャッタ羽根駆動装置の作動状態を説明するための平面図である。
【図４（ｆ）】シャッタ羽根の開き作動行程におけるシャッタ羽根駆動装置の作動状態を説明するための平面図である。
【図４（ｇ）】シャッタ羽根の開き作動行程におけるシャッタ羽根駆動装置の作動状態を説明するための平面図である。
【図５】シャッタ羽根が、図１の状態から開き作動を開始し、露光開口を開き終わる直前の状態を示した平面図である。
【図６】シャッタ羽根が、図５の状態から開き作動を続け、露光開口を全開にした直後に停止した状態を示す平面図である。
【図７（ａ）】シャッタ羽根の閉じ作動行程におけるシャッタ羽根駆動装置の作動状態を説明するための平面図である。
【図７（ｂ）】シャッタ羽根の閉じ作動行程におけるシャッタ羽根駆動装置の作動状態を説明するための平面図である。
【図７（ｃ）】シャッタ羽根の閉じ作動行程におけるシャッタ羽根駆動装置の作動状態を説明するための平面図である。
【図７（ｄ）】シャッタ羽根の閉じ作動行程におけるシャッタ羽根駆動装置の作動状態を説明するための平面図である。
【図７（ｅ）】シャッタ羽根の閉じ作動行程におけるシャッタ羽根駆動装置の作動状態を説明するための平面図である。
【図７（ｆ）】シャッタ羽根の閉じ作動行程におけるシャッタ羽根駆動装置の作動状態を説明するための平面図である。
【図７（ｇ）】シャッタ羽根の閉じ作動行程におけるシャッタ羽根駆動装置の作動状態を説明するための平面図である。
【図８】シャッタ羽根が、図６の状態から閉じ作動を開始し、露光開口を略２／３閉じた状態を示す平面図である。
【図９】第１シャッタ羽根が露光開口を閉鎖している状態を示した実施例２の平面図である。
【図１０】第１シャッタ羽根が、図９の状態から開き作動を開始し、露光開口を略１／３開いた状態を示す平面図である
【図１１】第２シャッタ羽根が、図１０の状態から閉じ作動を開始し、露光開口内を第１シャッタ羽根と共に露光走行している状態を示した平面図である。
【図１２】第２シャッタ羽根が露光開口を閉鎖し、第１シャッタ羽根に続いて停止した状態を示す平面図である。
【符号の説明】
【００５１】
１                            シャッタ地板
１ａ，２ａ，２４ａ            開口部
１ｂ，２ｂ，１７ｂ            長孔
１ｃ                          棚部
１ｄ，１ｉ，２ｃ，２ｄ，３ｃ，３ｈ，８ｄ，１６ｈ，１７ａ  孔
１ｅ，１ｆ，１ｇ，１ｈ，３ａ，３ｂ，３ｆ，３ｇ  柱
１ｊ，１６ａ，１６ｂ          軸部
２                            補助地板
３                            枠体
３ｄ，３ｅ                    窓
４，５                        ねじ
６                            軸
７                            回転子
８                            第１駆動部材
８ａ                          腕部
８ｂ，１６ｃ                  第１カム部
８ｃ，１６ｄ                  第２カム部
９，１０                      ボビン
９ａ，１０ａ                  端子ピン
１１                          コイル
１２，１３，１４，１５        ヨーク
１６                          第２駆動部材
１６ｅ                        当接部
１６ｆ                        駆動ピン
１６ｇ                        支え部
１７                          リンク部材
１８，１９                    軸部材
２０，２１                    アーム
２２，２３                    羽根
２４                          中間板
【図１】
2006084826.tif 000003
【図２】
2006084826.tif 000004
【図３】
2006084826.tif 000005
【図４（ａ）】
2006084826.tif 000006
【図４（ｂ）】
2006084826.tif 000007
【図４（ｃ）】
2006084826.tif 000008
【図４（ｄ）】
2006084826.tif 000009
【図４（ｅ）】
2006084826.tif 000010
【図４（ｆ）】
2006084826.tif 000011
【図４（ｇ）】
2006084826.tif 000012
【図５】
2006084826.tif 000013
【図６】
2006084826.tif 000014
【図７（ａ）】
2006084826.tif 000015
【図７（ｂ）】
2006084826.tif 000016
【図７（ｃ）】
2006084826.tif 000017
【図７（ｄ）】
2006084826.tif 000018
【図７（ｅ）】
2006084826.tif 000019
【図７（ｆ）】
2006084826.tif 000020
【図７（ｇ）】
2006084826.tif 000021
【図８】
2006084826.tif 000022
【図９】
2006084826.tif 000023
【図１０】
2006084826.tif 000024
【図１１】
2006084826.tif 000025
【図１２】
2006084826.tif 000026
【手続補正書】
【提出日】平成17年7月12日(2005.7.12)
【手続補正１】
【補正対象書類名】特許請求の範囲
【補正対象項目名】全文
【補正方法】変更
【補正の内容】
【特許請求の範囲】
【請求項１】
各々が露光用の開口部を有していて両者の間に少なくとも一つの羽根室を構成している二つの地板と、前記羽根室内に配置されていて前記地板のいずれか一方に夫々の一端を回転可能に取り付けられた複数のアームとそれらのアームに枢支された少なくとも１枚の羽根とで構成されている少なくとも一つのシャッタ羽根と、前記地板の何れか一方に取り付けられていて前記シャッタ羽根を往復作動させる少なくとも一つの駆動装置と、を備えているカメラ用フォーカルプレンシャッタにおいて、前記駆動装置が、往復回転可能な回転子を有するモータと、前記回転子と共に往復回転する第１駆動部材と、前記シャッタ羽根を往復作動させるために前記羽根室内で前記アームの一つに連結させた駆動ピンを有していて前記地板の何れか一方に回転可能に取り付けられている第２駆動部材と、一端を前記第１駆動部材に連結し他端を前記第２駆動部材に連結されていて前記第１駆動部材の往復回転を前記第２駆動部材に伝達するリンク部材と、を備えており、前記第２駆動部材は、その停止位置近傍では、前記第１駆動部材に対して直接接し得る状態になっていて、前記第２駆動部材側からの力が、ほぼ前記第１駆動部材の回転軸の方向へ作用するようにしたことを特徴とするカメラ用フォーカルプレンシャッタ。
【請求項２】
前記第１駆動部材は、前記リンク部材との連結部近傍にカム部を有しており、前記第２駆動部材も、前記リンク部材との連結部近傍にカム部を有しており、前記回転子が第１の方向へ回転したときには、前記第１駆動部材は、最初、前記リンク部材を介して前記第２駆動部材を回転させ、途中からは、前記第１駆動部材の前記カム部が前記第２駆動部材の前記カム部を押すことによって前記第２駆動部材を回転させるようにしたことを特徴とする請求項１に記載のカメラ用フォーカルプレンシャッタ。
【請求項３】
前記第１駆動部材は、前記リンク部材との連結部近傍に第２カム部を有しており、前記第２駆動部材は、前記リンク部材との連結部からは離れたところに第２カム部を有していて、前記回転子が第２の方向へ回転したときには、前記第２駆動部材の第２カム部が前記第１駆動部材の第２カム部に当接するようにしたことを特徴とする請求項２に記載のカメラ用フォーカルプレンシャッタ。
【請求項４】
前記回転子と前記第１駆動部材とが、同一回転軸上で一体的に回転し得るように構成されていることを特徴とする請求項１乃至３のいずれかに記載のカメラ用フォーカルプレンシャッタ。
【請求項５】
前記回転子と前記第１駆動部材とが、別軸上で回転し得るように構成されていることを特徴とする請求項１乃至３のいずれかに記載のカメラ用フォーカルプレンシャッタ。
【請求項６】
前記リンク部材は、前記二つの駆動部材の一方とは軸と円孔との連結構成で連結されていると共に他方とは軸と長孔との連結構成で連結されているようにしたことを特徴とする請求項１乃至５のいずれかに記載のカメラ用フォーカルプレンシャッタ。
【請求項７】
前記シャッタ羽根の作動終了時に、前記第２駆動部材がストッパに当接したとき、前記第２駆動部材が前記第１駆動部材に接触することを特徴とする請求項１乃至６のいずれかに記載のカメラ用フォーカルプレンシャッタ。
【手続補正２】
【補正対象書類名】明細書
【補正対象項目名】０００４
【補正方法】変更
【補正の内容】
【０００４】
特許文献１に記載されているフォーカルプレンシャッタの場合、回転子の停止位置は、回転子の永久磁石の磁力によって得られるディテントトルクで維持されている。しかしながら、このディテントトルクだけでは、カメラが衝撃を受けたり振動したときには、シャッタ羽根を静止さておくことができない。そして、シャッタ羽根が停止位置から移動してしまった場合には、撮影時のスタート位置が変わってしまい、適正な撮影が行えなくなってしまうという問題点がある。
また、周知のように、この種のフォーカルプレンシャッタの場合には、駆動部材は、その回転の最後に、モータの回転子が停止することによって停止するのではなく、ストッパに当接して停止させられる。そのとき、駆動部材がバウンドして、逆方向へ一時的に回転させられてしまうと、シャッタ羽根も一時的に逆方向へ作動させられ、露光開口の一部を開閉して露光むらなどの不都合な事態を発生させる原因となってしまう。
【手続補正３】
【補正対象書類名】明細書
【補正対象項目名】０００７
【補正方法】変更
【補正の内容】
【０００７】
本発明は、このような問題点を解決するためになされたものであり、その目的とするところは、モータによって往復作動させられるシャッタ羽根を少なくとも一つ備えているカメラ用フォーカルプレンシャッタにおいて、駆動装置を、モータと、二つの駆動部材と、それらの駆動部材を連結した一つのリンク部材とで構成し、シャッタ羽根のスタート位置を好適に維持できるようにすると共に、上記のようなバウンドも好適に抑制できるようにしたカメラ用フォーカルプレンシャッタを提供することである。
【手続補正４】
【補正対象書類名】明細書
【補正対象項目名】０００８
【補正方法】変更
【補正の内容】
【０００８】
上記の目的を達成するために、本発明は、各々が露光用の開口部を有していて両者の間に少なくとも一つの羽根室を構成している二つの地板と、前記羽根室内に配置されていて前記地板のいずれか一方に夫々の一端を回転可能に取り付けられた複数のアームとそれらのアームに枢支された少なくとも１枚の羽根とで構成されている少なくとも一つのシャッタ羽根と、前記地板の何れか一方に取り付けられていて前記シャッタ羽根を往復作動させる少なくとも一つの駆動装置と、を備えているカメラ用フォーカルプレンシャッタにおいて、前記駆動装置が、往復回転可能な回転子を有するモータと、前記回転子と共に往復回転する第１駆動部材と、前記シャッタ羽根を往復作動させるために前記羽根室内で前記アームの一つに連結させた駆動ピンを有していて前記地板の何れか一方に回転可能に取り付けられている第２駆動部材と、一端を前記第１駆動部材に連結し他端を前記第２駆動部材に連結されていて前記第１駆動部材の往復回転を前記第２駆動部材に伝達するリンク部材と、を備えており、前記第２駆動部材は、その停止位置近傍では、前記第１駆動部材に対して直接接し得る状態になっていて、前記第２駆動部材側からの力が、ほぼ前記第１駆動部材の回転軸の方向へ作用するようにする。
【手続補正５】
【補正対象書類名】明細書
【補正対象項目名】０００９
【補正方法】変更
【補正の内容】
【０００９】
その場合、前記第１駆動部材は、前記リンク部材との連結部近傍にカム部を有しており、前記第２駆動部材も、前記リンク部材との連結部近傍にカム部を有しており、前記回転子が第１の方向へ回転したときには、前記第１駆動部材は、最初、前記リンク部材を介して前記第２駆動部材を回転させ、途中からは、前記第１駆動部材の前記カム部が前記第２駆動部材の前記カム部を押すことによって前記第２駆動部材を回転させるようにすると、コンパクトで所望の機能を得易い構成になる。また、前記第１駆動部材は、前記リンク部材との連結部近傍に第２カム部を有しており、前記第２駆動部材は、前記リンク部材との連結部からは離れたところに第２カム部を有していて、前記回転子が第２の方向へ回転したときには、前記第２駆動部材の第２カム部が前記第１駆動部材の第２カム部に当接するようにすると、さらに好適な構成になる。
【手続補正６】
【補正対象書類名】明細書
【補正対象項目名】００１０
【補正方法】変更
【補正の内容】
【００１０】
また、前記回転子と前記第１駆動部材とが、同一回転軸上で一体的に回転し得るように構成した場合には、駆動装置のコンパクト化が可能になるし、前記回転子と前記第１駆動部材とが、別軸上で回転し得るように構成した場合には、配置設計上の自由度が大きくなる。更に、前記リンク部材は、前記二つの駆動部材の一方とは軸と円孔との連結構成で連結されていると共に他方とは軸と長孔との連結構成で連結されているようにすると、実用的な構成になるし、前記シャッタ羽根の作動終了時に、前記第２駆動部材がストッパに当接したとき、前記第２駆動部材が前記第１駆動部材に接触するようにすれば、バウンドを好適に抑制することが可能になる。
【手続補正７】
【補正対象書類名】明細書
【補正対象項目名】００１１
【補正方法】変更
【補正の内容】
【００１１】
本発明は、モータによって往復作動させられるシャッタ羽根を少なくとも一つ備えているカメラ用フォーカルプレンシャッタにおいて、シャッタ羽根の駆動装置を、モータと、二つの駆動部材と、それらの駆動部材を連結した一つのリンク部材とで構成し、モータの回転子の回転は、主に、第１駆動部材，リンク部材，第２駆動部材を介してシャッタ羽根に伝達されるようになっているが、二つの駆動部材は、それらの停止位置近傍では、相互に接触し得るようになっていて、第２駆動部材側に発生した力は、第２駆動部材から直接第１駆動部材に伝達され、第１駆動部材の回転軸の方向へ作用し得るようにしているため、モータの停止状態において、カメラに衝撃や振動が生じたときには、第２駆動部材側（シャッタ羽根側）に生じた力が、モータの回転子を回転させる方向へは働きにくくなっている。また、シャッタ羽根の走行終了時点において、第２駆動部材がストッパに当接してバウンドしようとしたときにも、第２駆動部材は第１駆動部材に直ちに当接し、その力が第１駆動部材の回転軸の方向へ作用するため、モータの回転子には、その回転方向への力が作用せず、バウンドを好適に抑制することが可能になる。
【手続補正８】
【補正対象書類名】明細書
【補正対象項目名】００３０
【補正方法】変更
【補正の内容】
【００３０】
そして、図４（ｅ）に示された状態になると、その後は、第１駆動部材８が、リンク部材１７を介さずに、その第１カム部８ｂによって第２駆動部材１６の第１カム部１６ｃを直接押し、第２駆動部材１６を回転させ始めるため、図４（ｆ）に示されているように、軸部材１９が長孔１７ｂの左端から離れていく。このようにした理由は、図４（ｅ）の状態になった後も、それまでと同様にリンク部材１７を介して回転させ続けると、第１駆動部材８の回転量に対する第２駆動部材１６の回転量が小さくなり、ひいてはシャッタ羽根の走行速度が極端に遅くなってしまうほか、第１駆動部材８が図４（ｇ）の状態まで回転しても、第２駆動部材１６は、軸部材１９が長孔１７ｂの上端に接した位置までしか回転することができず、第２駆動部材１６を、図４（ｇ）に示した所望の回転角度位置まで回転させることができなくなるからである。従って、駆動装置を、本実施例のようにコンパクトな構成にする必要がないのであれば、第１駆動部材８と第２駆動部材１６に第１カム部８ｂ，１６ｃを形成したり、リンク部材１７に長孔１７ｂを形成したりする必要はなく、リンク部材１７と第２駆動部材１６との連結構成は、リンク部材１７と第１駆動部材８との連結構成と同じであってもよいことになる。尚、本実施例の場合には、長孔と軸との連結構成を、リンク部材１７と第２駆動部材１６との連結に採用しているが、リンク部材１７と第１駆動部材８との連結に採用しても構わない。